(57)【要約】【課題】極めて簡単に木材パレットや床などの構造物を容易に解体でき、作業性を向上させた解体用バールを提供するものである。【解決手段】前面が垂直な本体部２の背面に柄取付部３を設け、この柄取付部３に柄６を取付けると共に、前記本体部２の前面板８の底部側に、横方向に間隔をおいて２本の差し込み片５、５を突設し、この差し込み片５、５を木材パレット１０のフォーク挿入口１４に差し込んで、柄６を回動させることによりテコの原理により少ない力で天板１２を剥がして解体するようにしたものである。【選択図】  図３
0003161366.tif 000002
【実用新案登録請求の範囲】
【請求項１】
前面が垂直な本体部に柄取付部を設け、この柄取付部に柄を取付けると共に、前記本体部の前面底部側に、横方向に間隔をおいて２本の差し込み片を突設したことを特徴とする解体用バール。
【請求項２】
２本の差し込み片が、本体部の前面底部側の両端部を除いて突設されていることを特徴とする請求項１記載の解体用バール。
【請求項３】
差し込み片の上面が平滑で先端側から下方にむかって傾斜したクサビ状に形成されていることを特徴とする請求項１または２記載の解体用バール。
【考案の詳細な説明】
【技術分野】
【０００１】
本考案は、木材パレットや床板などの解体に用いるバールの改良に関するものである。
【背景技術】
【０００２】
一般に製品や部品の搬送を行なう場合、木材パレットの上に載せて、フォークリフトでトラックの荷台に積み込んで搬送することが行なわれている。工場などに木材パレットに載せて搬送されてきた部品などは、部品を降ろした後に、木材パレットを解体することが行なわれている。この解体作業は、通常、柄の先端が湾曲した金属製のバール（特許文献１）を用いて、桁材から天板と底面板を外して解体している。
【０００３】
しかしながら、この木材パレットは強度が要求されることから、硬いラワン材を組み合わせて釘で強固に固定されているため、解体には大きな力が必要で、多数の木材パレットを解体する作業は重労働であった。
【先行技術文献】
【特許文献】
【０００４】
【特許文献１】特開２００３−３００１７９
【考案の概要】
【考案が解決しようとする課題】
【０００５】
本考案は上記問題を改善し、極めて簡単に木材パレットや床などの構造物を容易に解体でき、作業性を向上させた解体用バールを提供するものである。
【課題を解決するための手段】
【０００６】
本考案の請求項１記載の解体用バールは、前面が垂直な本体部に柄取付部を設け、この柄取付部に柄を取付けると共に、前記本体部の前面底部側に、横方向に間隔をおいて２本の差し込み片を突設したことを特徴とするものである。
【０００７】
本考案の請求項２記載の解体用バールは、請求項１において、２本の差し込み片が、本体部の前面底部側の両端部を除いて突設されていることを特徴とするものである。
【０００８】
本考案の請求項３記載の解体用バールは、請求項１または２において、差し込み片の上面が平滑で先端側から下方にむかって傾斜したクサビ状に形成されていることを特徴とするものである。
【考案の効果】
【０００９】
本考案に係る請求項１記載の解体用バールによれば、解体用バールの２本の差し込み片を、解体する部材の隙間から挿入し、柄を回動させることにより、テコの原理により少ない力で解体することができると共に、２本の差し込み片が突設されているので、解体用バールを安定して回動させることができる。
【００１０】
また請求項２記載の解体用バールによれば、２本の差し込み片が、本体部の前面底部側の両端部を除いて突設され、この両端部を木板の支持部材に載せて、ここを回動支点として回動させることによりテコの原理により、少ない力で解体することができる。
【００１１】
また請求項３記載の解体用バールによれば、差し込み片の上面が平滑で先端側から下方にむかって傾斜したクサビ状に形成されているので、小さな隙間にも挿入することができる。
【考案を実施するための最良の形態】
【００１２】
以下本考案の実施の一形態を図１ないし図５を参照して詳細に説明する。図において１は解体用バールを示すもので、２は前面が垂直な本体部、３は本体部２の背面側に一体に形成された柄取付部、４は柄取付部３に形成された挿着孔、５はは差し込み片、６は金属パイプまたは木棒で形成された柄である。
【００１３】
前記本体部２は、正面が垂直で略台形状に形成された前面板８の背面側に、半割円柱状の柄取付部３が一体に形成されている。この前面板８の底部側の両端部９、９を除いた部分に、横方向に間隔をおいて２本の差し込み片５、５が下駄状に突設されている。この差し込み片５は上面が平滑で先端側から下方にむかって傾斜したクサビ状に形成されている。また柄取付部３に開孔した挿着孔４には、柄６の下部側が挿着されて一体に接合されている。
【００１４】
上記構成の解体用バール１を用いて木材パレット１０を解体する場合について説明する。木材パレット１０は図３に示すように３本の桁材１１が間隔をおいて平行に設けられ、この上面と底面に、これと直交して複数枚の天板１２と底面板１３が間隔をおいて釘１５で固定されている。
【００１５】
この木材パレット１０の天板１２と底面板１３との間のフォーク挿入口１４から図３に示すように解体用バール１の前面に突出した２本のクサビ状の差し込み片５を挿入し、その底面後部側の角部１６を図４に示すように底面板１３の上に置く。この状態で柄６を回動させることにより、角部１６を支点Ｃ、柄６の上端側を力点、差し込み片５の先端を作用点とするテコの原理により、少ない力で天板１２を接合している釘１５を抜いて容易に外すことができる。しかも２本の差し込み片５が突設されているので、解体用バール１を安定して回動させることができる。
【００１６】
また図５に示すように木材パレット１０の、隣接する天板１２、１２の隙間１８から差し込み片５を挿入して、その底面を天板１２の上に載せ、ここを支点Ｃとし、上面を隣接する天板１２の底部に当ててここを作用点として、柄６を回動させることにより少ない力で天板１２を接合している釘１５を抜いて外すこともできる。また差し込み片５の先端はクサビ状に形成されているので、小さな隙間１８でも挿入することができる。
【００１７】
図６ないし図８は床構造を解体する場合で、床板２０は大引き２１の上に支持された根太２２の上にこれと直交して取付けられている。壁際の床板２０を剥がす場合、先ず図６に示すように数枚の床板２０を剥がした後、その隙間から解体用バール１の差し込み片５を床板２０の下に挿入すると共に、図７に示すように前面板８の下部の一方の端部９を根太２２の上に載せる。この状態で柄６を回動させると、端部９を支点Ｃ、柄６の上端側を力点、差し込み片５の上面を作用点とするテコの原理により、少ない力で床板２０を剥がすことができる。
【００１８】
また壁２３から離れた場所では図８に示すように、前面板８を根太２２の上に載せて、根太２２を両側から挟むように差し込み部５、５を床板２０の下に挿入する。この状態で柄６を回動させると、前面板８の下部を支点Ｃ、柄６の上端側を力点、差し込み片５の上面を作用点とするテコの原理により、少ない力で床板２０を剥がすことができる。また床板２０を剥がした後、根太２２や大引き２１も同様に解体用バール１で解体することができる。
【００１９】
図９は本考案の他の実施の形態を示すもので、本体部２の前面板８を四角形状に形成し、この背面側に柄取付部３を一体に形成し、この挿着孔４に柄６の下部を挿着すると共に、前面板８の下部側の両端部９、９を除いた部分に、横方向に間隔をおいて２本の差し込み片５、５を突設したものである。
【００２０】
図１０は本考案の他の実施の形態を示すもので、本体部２の前面板８を四角形状に形成し、この背面側に柄取付部３を一体に形成し、この挿着孔４に柄６の下部を挿着すると共に、前面板８の下部側の両端に、横方向に間隔をおいて２本の差し込み片５、５を突設したものである。
【産業上の利用可能性】
【００２１】
なお上記説明では、木材パレット１０と床板２０を解体する場合について示したが、コンクリート型枠の解体や屋根板の解体などにも広く使用することができる。
【図面の簡単な説明】
【００２２】
【図１】本考案の実施の一形態による解体用バールの斜視図である。
【図２】図１に示す解体用バールの側面図である。
【図３】図１の解体用バールを用いて木材パレットを解体している状態を示す斜視図である。
【図４】図３の要部を拡大して示す断面図である。
【図５】天板の隙間から差し込み片を挿入して解体している状態を示す断面図である。
【図６】解体用バールを用いて床板を解体している状態を示す斜視図である。
【図７】図６の要部を拡大して示す断面図である。
【図８】解体用バールを用いて床板を解体している状態を示す斜視図である。
【図９】本考案の異なる実施の形態による解体用バールの斜視図である。
【図１０】本考案の更に異なる実施の形態による解体用バールの斜視図である。
【符号の説明】
【００２３】
１    解体用バール                                          
２    本体部                                                
３    柄取付部                                              
４    挿着孔                                                
５    差し込み片                                            
６    柄                                                    
８    前面板                                                
９    端部                                                  
１０  木材パレット                                          
１１  桁材                                                  
１２  天板                                                  
１３  底面板                                                
１４  フォーク挿入口                                        
１５  釘                                                    
１６  角部                                                  
１８  隙間                                                  
２０  床板                                                  
２１  大引き                                                
２２  根太                                                  
２３  壁  
【図１】
0003161366.tif 000003
【図２】
0003161366.tif 000004
【図３】
0003161366.tif 000005
【図４】
0003161366.tif 000006
【図５】
0003161366.tif 000007
【図６】
0003161366.tif 000008
【図７】
0003161366.tif 000009
【図８】
0003161366.tif 000010
【図９】
0003161366.tif 000011
【図１０】
0003161366.tif 000012